(57)【要約】【課題】簡素な構造で、捕虫シートが風によって靡くことを抑制できると共に、害虫の捕獲効率が低下することもなく、粘着層が人などに付着することがない捕虫シート保持ガードを提供する。【解決手段】本考案の捕虫シート保持ガード１は、捕虫シート５０の周囲に螺旋状に配される螺旋状線条体２からなり、捕虫シート５０の上部を保持するシート上部保持部３と、捕虫シート５０の下部を保持するシート下部保持部４とを有していると共に、螺旋状線条体２は弾性材料にて形成され、螺旋状線条体２の中心軸に沿って伸縮可能に構成されている。【選択図】図２
0003216136.tif 000002
【実用新案登録請求の範囲】
【請求項１】
捕虫シートの周囲に螺旋状に配される螺旋状線条体からなることを特徴とする捕虫シート保持ガード。
【請求項２】
前記捕虫シート保持ガードは一本の前記螺旋状線条体からなる請求項１に記載の捕虫シート保持ガード。
【請求項３】
前記螺旋状線条体は、金属線を樹脂材料にて被覆した線条体にて形成されている請求項１または２に記載の捕虫シート保持ガード。
【請求項４】
前記螺旋状線条体は、前記捕虫シートの上部を保持するシート上部保持部と、前記捕虫シートの下部を保持するシート下部保持部とを有している請求項１ないし３のいずれかに記載の捕虫シート保持ガード。
【請求項５】
前記螺旋状線条体は、弾性材料にて形成され、前記螺旋状線条体の中心軸に沿って伸縮可能に構成されている請求項１ないし４のいずれかに記載の捕虫シート保持ガード。
【請求項６】
前記螺旋状線条体は、両端部付近にそれぞれ、中心軸に沿って収縮した状態を保持するための収縮保持用係合部を有している請求項１ないし５のいずれかに記載の捕虫シート保持ガード。
【請求項７】
前記螺旋状線条体は、吊り下げ紐を係止するための係止部を有している請求項１ないし６のいずれかに記載の捕虫シート保持ガード。
【考案の詳細な説明】
【技術分野】
【０００１】
本考案は、例えばビニールハウス内に吊り下げて害虫を捕獲するために使用する捕虫シートを保持すると共にガードするための捕虫シート保持ガードに関するものである。
【背景技術】
【０００２】
従来より、虫の色相誘引効果を利用して害虫を捕獲する捕虫シートが使用されている。例えば、そのような捕虫シートとして、図６に示すように、正面視略短冊状の黄色シート５１に粘着層５２を形成し、粘着層５２を剥離シート５３で被覆した捕虫シート５０が多用されている。
【０００３】
この捕虫シート５０は、剥離シート５３を剥離して粘着層５２を露呈させた状態で吊り下げることで、害虫が黄色シート５１に誘引され粘着層５２に付着することで捕獲するものであるが、シート状であるために風に靡いたり、人などに付着することがあり煩雑であった。
【０００４】
この問題を解決するものとして、捕虫シートを網目状の被包体で覆うタイプのものや捕虫シートの上下を棒状部材で固定し捕虫シートを保持して靡きを抑制するタイプのもの（特開２０１３−１３２２５３号公報）などが提案されている。
【０００５】
しかし、前者のものは、網目状の被包体が障害となって捕獲効率が低下するものであった。他方、後者のものは、粘着層がそのまま露呈しているため、人などへの付着を防止できるものではなかった。
【先行技術文献】
【特許文献】
【０００６】
【特許文献１】特開２０１３−１３２２５３号公報
【考案の概要】
【考案が解決しようとする課題】
【０００７】
そこで、本考案の課題は、簡素な構造で、捕虫シートが風によって靡くことを抑制できると共に、害虫の捕獲効率が低下することもなく、粘着層が人などに付着することがない捕虫シート保持ガードを提供することにある。
【課題を解決するための手段】
【０００８】
上記課題を解決するものは、捕虫シートの周囲に螺旋状に配される螺旋状線条体からなることを特徴とする捕虫シート保持ガードである。
【０００９】
前記捕虫シート保持ガードは、一本の前記螺旋状線条体からなることが好ましい。前記螺旋状線条体は、金属線を樹脂材料にて被覆した線条体にて形成されていることが好ましい。前記螺旋状線条体は、前記捕虫シートの上部を保持するシート上部保持部と、前記捕虫シートの下部を保持するシート下部保持部とを有していることが好ましい。前記螺旋状線条体は、弾性材料にて形成され、前記螺旋状線条体の中心軸に沿って伸縮可能に構成されていることが好ましい。前記螺旋状線条体は、両端部付近にそれぞれ中心軸に沿って収縮した状態を保持するための収縮保持用係合部を有していることが好ましい。前記螺旋状線条体は、吊り下げ紐を係止するための係止部を有していることが好ましい。
【考案の効果】
【００１０】
請求項１に記載した捕虫シート保持ガードによれば、簡素な構造で、捕虫シートが風によって靡くことを抑制できると共に、害虫の捕獲効率が低下することもなく、粘着層が人などに付着することもない。
請求項２に記載した捕虫シート保持ガードによれば、極めて簡素な構造で、作製容易な捕虫シート保持ガードとなる。
請求項３に記載した捕虫シート保持ガードによれば、必要な強度を有すると共に取扱い容易で人が接触しても安全な捕虫シート保持ガードとなる。
請求項４に記載した捕虫シート保持ガードによれば、捕虫シートをより確実に保持できる。
請求項５に記載した捕虫シート保持ガードによれば、捕虫シート保持ガードをコンパクト化することができ、不使用時の取り扱いがより容易なものとなる。
請求項６に記載した捕虫シート保持ガードによれば、収縮状態をより確実に保持できる。
請求項７に記載した捕虫シート保持ガードによれば、捕虫シート保持ガードを安定して吊り下げて使用することができる。
【図面の簡単な説明】
【００１１】
【図１】本考案の捕虫シート保持ガードの一実施例の正面図である。
【図２】図１に示した捕虫シート保持ガードの使用状態を説明するための正面図である。
【図３】図２の平面図である。
【図４】図１に示した捕虫シート保持ガードを収縮させた状態を示す正面図である。
【図５】図４の平面図である。
【図６】捕虫シートの一実施例の背面図である。
【考案を実施するための形態】
【００１２】
本考案では、捕虫シート５０の周囲に螺旋状線条体２を配することで、簡素な構造で、捕虫シートが風によって靡くことを抑制できると共に、害虫の捕獲効率が低下することもなく、粘着層が人などに付着することのない捕虫シート保持ガード１を実現した。
【実施例】
【００１３】
本考案の捕虫シート保持ガードの一実施例を図１ないし図５に示した一実施例を用いて説明する。
この実施例の捕虫シート保持ガード１は、図１または図２に示すように、捕虫シート５０の周囲に螺旋状に配される螺旋状線条体２からなり、捕虫シート５０の上部を保持するシート上部保持部３と、捕虫シート５０の下部を保持するシート下部保持部４とを有していると共に、螺旋状線条体２は弾性材料にて形成され、螺旋状線条体２の中心軸に沿って軸方向に伸縮可能に構成されている。以下、各構成について順次詳述する。
【００１４】
捕虫シート保持ガード１は、図２または図３に示すように、捕虫シート５０の周囲に配される螺旋状線条体２から構成されている。このため、隣接する螺旋状線条体２の間隙を調整することで、螺旋状線条体２が色相誘引効果の障害となり害虫の捕獲効率が低下することを防止できる。また、捕虫シート５０の周囲が螺旋状線条体２によってガードされているため、捕虫シート５０の粘着層５２が人などに付着することがない。なお、この実施例の螺旋状線条体２は、捕虫シート５０の周囲を５回巻回されているが、これに限定されるものではなく、巻回数は捕虫シートの長さに応じて適宜設計変更可能である。
【００１５】
この実施例の捕虫シート保持ガード１は、図１に示すように、一本の前記螺旋状線条体２から構成されている。これによって、極めて簡素な構造により捕虫シート保持ガードを構成できる。
【００１６】
さらに、この実施例の螺旋状線条体２は、金属線を樹脂材料にて被覆した線条体にて形成されている。これにより、必要な強度を有すると共に取扱い容易で人が接触しても安全な捕虫シート保持ガードを構成できる。ただし、本考案の螺旋状線条体は、金属線を樹脂材料にて被覆した線条体に限定されるものではなく、弾性を有するステンレスや鉄などであってもよい。
【００１７】
シート上部保持部３は、図２に示すように、捕虫シート５０の上部を保持するための部位であり、シート下部保持部４は、捕虫シート５０の下部を保持するための部位である。これらシート上部保持部３およびシート下部保持部４を有することにより、捕虫シート５０をより確実に保持でき、捕虫シート５０が風によって靡くことを抑止できる。
【００１８】
具体的には、この実施例のシート上部保持部３は、図１に示すように、螺旋状線条体２の一端（図１中上端）に設けられ、図１中下方に頂部を有する屈曲部付近で構成されており、他方、シート下部保持部４は、図１に示すように、螺旋状線条体２の他端（図１中下端）に設けられ、図１中上方に頂部を有する屈曲部付近で構成されている。そして、図２に示すように、シート上部保持部３は、捕虫シート５０の上部穴５４に挿入されてシート上部側で捕虫シート５０を保持し、他方、シート下部保持部４は、捕虫シート５０の下部穴５５に挿入されてシート下部側で捕虫シート５０を保持するように構成されている。
【００１９】
さらに、螺旋状線条体２は弾性材料にて形成され、図４に示すように、螺旋状線条体２の中心軸に沿って伸縮可能に構成されている。これにより、捕虫シート保持ガード１を収縮させてコンパクト化することができ、不使用時の取り扱いがより容易なものとなる。
【００２０】
螺旋状線条体２は、両端部付近にそれぞれ中心軸に沿って収縮した状態を保持するための収縮保持用係合部３，４を有している。これにより、収縮状態をより確実に保持できる。
【００２１】
具体的には、この実施例の収縮保持用係合部３，４は、前述したシート上部保持部３またはシート下部保持部４がそれぞれ兼ねており、これにより、別に設けられることなく構造がより簡素化されている。すなわち、図１に示すように、収縮保持用係合部３が図１中，下方に頂部を有する屈曲部で構成されており、他方、収縮保持用係合部４は、図１中上方に頂部を有する屈曲部で構成され、図４に示すように、螺旋状線条体２を上下方向に収縮させた状態で、収縮保持用係合部４を収縮保持用係合部３の上方から掛け下すことにより、両者が係合して螺旋状線条体２の収縮状態が保持されるように構成されている。
【００２２】
螺旋状線条体２は、図１または図２に示すように、吊り下げ紐６０を係止するための係止部５を有している。これにより、ビニールハウス内等に捕虫シート保持ガード１を安定して吊り下げて使用することができるように構成されている。なお、この実施例の捕虫シート保持ガード１は、図１に示すように、上部にのみ係止部５が設けられているが、これに限定されるものではなく、例えば下部にも係止部が設けられ、上下が同一形状に形成されていてもよい。これにより、上下を気にすることなく使用できると共に構造をより簡素化できる。
【００２３】
具体的には、この実施例の係止部５は、図１に示すように、図１中上方に頂部を有する屈曲部で構成されており、この屈曲部に吊り下げ紐６０を引っ掛けてビニールハウス内等に吊るすことができるように構成されている。
【００２４】
つぎに、本考案の捕虫シート保持ガード１の使用方法について説明する。
この捕虫シート保持ガード１を使用するには、まず、図４に示した収縮状態から、収縮保持用係合部３と収縮保持用係合部４の係合を解除して、螺旋状線条体２の弾性力により、図１の伸長状態とする。つぎに、捕虫シート５０の剥離シート５３を剥離して粘着層５２を露呈させた状態とし、図２に示すように、シート上部保持部３を捕虫シート５０の上部穴５４に挿入してシート上部側で捕虫シート５０を保持し、他方、シート下部保持部４を捕虫シート５０の下部穴５５に挿入してシート下部側で捕虫シート５０を保持する。この状態で、係止部５に吊り下げ紐６０を取り付けてビニールハウス内等に吊るしたり、栽培する植物付近に配置したり転がしたりして使用することが可能性である。
【００２５】
そして、害虫は捕虫シート５０の色相誘引効果により、螺旋状線条体２の間隙から内部に侵入し、粘着層５２に付着して捕獲される。他方、螺旋状線条体２が捕虫シート５０の周囲をガードしているため、人や栽培する植物などが捕虫シート５０に接触することを回避でき、それらに粘着層５２が付着することも回避できる。
【００２６】
害虫が付着した捕虫シート５０は、シート上部保持部３またはシート下部保持部４による保持を解除して廃棄し、新しい捕虫シート５０に取り換えて使用することができる。他方、捕虫シート保持ガード１自体は収縮させた状態で収縮保持用係合部３と収縮保持用係合部４とを係合させて保管することができる。
【００２７】
以上のように、本考案の捕虫シート保持ガード１は、捕虫シート５０の周囲に螺旋状線条体２を配することで、極めて簡素な構造で、捕虫シートが風によって靡くことを抑制できると共に、害虫の捕獲効率が低下することもなく、粘着層が人などに付着することも防止することができる。
【符号の説明】
【００２８】
１      捕虫シート保持ガード
２      螺旋状線条体
３      シート上部保持部
４      シート下部保持部
５      係止部
５０    捕虫シート
【図１】
0003216136.tif 000003
【図２】
0003216136.tif 000004
【図３】
0003216136.tif 000005
【図４】
0003216136.tif 000006
【図５】
0003216136.tif 000007
【図６】
0003216136.tif 000008